(57)【要約】【課題】使用者の身体を損傷させることなく使用者に着座動作や離座動作を円滑に行わせることができる昇降便座を提供すること。【解決手段】本発明では、使用者の着座動作や離座動作を補助するために腰掛型便器（２、１５）の上方で前低後高の傾斜状に昇降する昇降便座（１、１４）において、便座本体（３、１６）の後部が腰掛型便器（２、１５）の上方側へ向けて回転上昇する上方移動に加えて、便座本体（３、１６）が腰掛型便器（２、１５）の前方側へ向けて移動する前方移動を行うことにした。また、前記前方移動を行った後に、前記上方移動を行うことにした。さらに、前記便座本体（３、１６）の下側中途部を支点（７、２０）として前記上方移動を行うことにした。【選択図】図１
2011160925.tif 000002
【特許請求の範囲】
【請求項１】
使用者の着座動作や離座動作を補助するために腰掛型便器の上方で前低後高の傾斜状に昇降する昇降便座において、
便座本体の後部が腰掛型便器の上方側へ向けて回転上昇する上方移動に加えて、便座本体が腰掛型便器の前方側へ向けて移動する前方移動を行うことを特徴とする昇降便座。
【請求項２】
前記前方移動を行った後に、前記上方移動を行うことを特徴とする請求項１に記載の昇降便座。
【請求項３】
前記便座本体の下側中途部を支点として前記上方移動を行うことを特徴とする請求項１又は請求項２に記載の昇降便座。
【発明の詳細な説明】
【技術分野】
【０００１】
本発明は、腰掛型便器の使用者の着座動作や離座動作を補助するために腰掛型便器の上方で前低後高の傾斜状に昇降する昇降便座に関するものである。
【背景技術】
【０００２】
従来より、腰掛型便器では、使用者が便座に着座や離座する際に使用者の着座動作や離座動作を補助するために、腰掛型便器の上方において便座が前低後高の傾斜状に昇降する昇降便座が開発されている（たとえば、特許文献１参照。）。
【０００３】
図７(a)に示すように、従来の昇降便座101は、腰掛型便器102の前端部に便座本体103の前端部を回転軸（蝶番）104を介して上下回動自在に装着し、便座本体103よりも前方側に位置する回転中心（回転軸104）を中心にして便座本体103が単純に上下方向に回動する構成となっている。
【０００４】
そして、たとえば離座時には、図７(b)に示すように、便座本体103に接続した駆動モータ等（図示省略）によって便座本体103の後部が腰掛型便器102の上方側へ上昇移動して前低後高の傾斜状となり、使用者105の離座動作を補助するようにしている。
【先行技術文献】
【特許文献】
【０００５】
【特許文献１】特開２００１−１２９０２４号公報
【発明の概要】
【発明が解決しようとする課題】
【０００６】
ところが、図７(a)に示すように、腰掛型便器102では、使用時（着座時）において使用者105の足関節よりも膝関節が後方に位置して下腿部が後方側に傾斜した状態となっている。
【０００７】
そのため、図７(b)に示すように、離座時に便座本体103を腰掛型便器102の前端部の回転軸104を中心にして単純に回転上昇させても、使用者105の下腿部が後方側に傾斜したままの状態となっており、使用者105の下腿部に多大な負荷がかかり、円滑に離座動作を行うことができないばかりか、使用者105の身体を損傷させてしまうおそれがあった。
【課題を解決するための手段】
【０００８】
そこで、請求項１に係る本発明では、使用者の着座動作や離座動作を補助するために腰掛型便器の上方で前低後高の傾斜状に昇降する昇降便座において、便座本体の後部が腰掛型便器の上方側へ向けて回転上昇する上方移動に加えて、便座本体が腰掛型便器の前方側へ向けて移動する前方移動を行うことにした。
【０００９】
また、請求項２に係る本発明では、前記請求項１に係る本発明において、前記前方移動を行った後に、前記上方移動を行うことにした。
【００１０】
また、請求項３に係る本発明では、前記請求項１又は請求項２に係る本発明において、前記便座本体の下側中途部を支点として前記上方移動を行うことにした。
【発明の効果】
【００１１】
そして、本発明では、以下に記載する効果を奏する。
【００１２】
すなわち、本発明では、使用者の着座動作や離座動作を補助するために腰掛型便器の上方で前低後高の傾斜状に昇降する昇降便座において、便座本体の後部が腰掛型便器の上方側へ向けて回転上昇する上方移動に加えて、便座本体が腰掛型便器の前方側へ向けて移動する前方移動を行うことにしているために、離座時に便座本体が腰掛型便器の前方側へ向けて移動（前方移動）することで、使用者の下腿部を後方側に傾斜した状態から直立した状態にすることができ、使用者の身体を損傷させることなく使用者に離座動作を円滑に行わせることができる。
【００１３】
特に、前方移動を行った後に上方移動を行うようにした場合には、離座時に使用者の下腿部を後方側に傾斜した状態から直立した状態にした後に離座動作を行わせることができるので、より一層使用者の身体を損傷させることなく使用者に離座動作を円滑に行わせることができる。
【００１４】
また、便座本体の下側中途部を支点として上方移動を行うようにした場合には、離座時（上方移動時）において回転する便座本体の支点と力点との距離を短縮することができ、小さな駆動力で便座本体を回転させることができるので、昇降便座の小型軽量化を図ることができる。
【図面の簡単な説明】
【００１５】
【図１】実施例１に係る昇降便座を示す側面図。
【図２】同動作説明図。
【図３】同使用説明図。
【図４】実施例２に係る昇降便座を示す側面図。
【図５】同動作説明図。
【図６】同動作説明図。
【図７】従来の昇降便座を示す使用説明図。
【発明を実施するための形態】
【００１６】
以下に、本発明に係る昇降便座の具体的な構成について図面を参照しながら説明する。
【００１７】
［実施例１］
図１〜図３に示すように、実施例１に係る昇降便座１は、腰掛型便器２に着脱自在に装着することができ、着座動作や離座動作を補助するために腰掛型便器２の上方で前低後高の傾斜状に昇降するように構成したものである。
【００１８】
この昇降便座１は、腰掛型便器２の上部に便座本体３を載置する一方、腰掛型便器２の後方であってタンク４の下方のスペースに駆動源５を収容し、便座本体３と駆動源５とを連動機構６を介して連動連結している。
【００１９】
便座本体３は、平面視でＵ字状或いはＯ字状の板で形成されており、後端部に連動機構６を上下回動自在に接続している。
【００２０】
また、便座本体３は、下側中途部から下側前端部を前高後低の傾斜状に切欠し、後述するように、下側中途部を支点７として上下方向に回転するようにしている。
【００２１】
駆動源５は、床８にアクチュエータ９の下端部を前後回動自在に取付け、アクチュエータ９の進退ロッド10の先端部に連動機構６を上下回動自在に接続している。
【００２２】
連動機構６は、側面視でＶ字状のアーム11の折曲部（中途部）を腰掛型便器２の側面に上下回動自在に軸支し、アーム11の前端部を便座本体３の後端部に軸支し、アーム11の後端部をアクチュエータ９の進退ロッド10の先端部に軸支している。
【００２３】
そして、昇降便座１は、図１に示すように、使用時には便座本体３が腰掛型便器２の上部に水平に載置されており、図２に示すように、離座時には駆動源５を駆動させることでアクチュエータ９の進退ロッド10が上方に向けて進出し、それに伴って、連動機構６のアーム11が前方に向けて回転し、便座本体３が腰掛型便器２の上方に向けて前低後高の傾斜状に移動する。
【００２４】
その際に、上記昇降便座１は、腰掛型便器２に軸支されたアーム11を便座本体３の後端部に接続しているために、便座本体３が単純に上方に向けて回転移動するのではなく、便座本体３の後部が腰掛型便器２の上方側へ向けて回転上昇する上方移動に加えて、便座本体３が腰掛型便器２の上面に沿って前方側に向けて移動する前方移動をも行うようになっている。
【００２５】
このように、上記昇降便座１は、便座本体３の後部が腰掛型便器２の上方側へ向けて回転上昇する上方移動に加えて、便座本体３が腰掛型便器２の前方側へ向けて移動する前方移動を行うように構成している。
【００２６】
そのため、上記構成の昇降便座１では、離座時に便座本体３が腰掛型便器２の前方側へ向けて移動（前方移動）することで、使用者12の下腿部を後方側に傾斜した状態（図３(a)に示す状態）から直立した状態（図３(b)に示す状態）にすることができ、使用者12の身体を損傷させることなく使用者12に離座動作を円滑に行わせることができる。
【００２７】
また、上記昇降便座１は、下側中途部から下側前端部を前高後低の傾斜状に切欠しているために、上方移動を行う際に便座本体３の下側中途部を支点７として上方側に向けて回転上昇（上方移動）するように構成している。
【００２８】
そのため、上記構成の昇降便座１では、離座時（上方移動時）において回転する便座本体３の支点７と力点13との距離を短縮することができ、小さな駆動力で便座本体３を回転させることができるので、昇降便座１の小型軽量化を図ることができる。
【００２９】
なお、上記説明では、昇降便座１の離座時の動作を主に説明したが、昇降便座１の着座時の動作についても、動作方向や動作順序が離座時と逆になるだけで、同様の効果が得られる。
【００３０】
［実施例２］
図４〜図６に示すように、実施例２に係る昇降便座14は、腰掛型便器15に着脱自在に装着することができ、着座動作や離座動作を補助するために腰掛型便器15の上方で前低後高の傾斜状に昇降するように構成したものである。
【００３１】
この昇降便座14は、腰掛型便器15の上部に便座本体16を載置する一方、腰掛型便器15の左右側部上方に駆動源17（肘掛23）を配置し、便座本体16と駆動源17とを連動機構18を介して連動連結し、さらに、腰掛型便器15の上部であって便座本体16の左右側部にカム19を取付けている。
【００３２】
便座本体16は、平面視でＵ字状或いはＯ字状の板で形成されており、後端部に連動機構18を上下回動自在に接続している。
【００３３】
また、便座本体16は、下側中途部から下側前端部を前高後低の傾斜状に切欠し、後述するように、下側中途部を支点20として上下方向に回転するようにしている。
【００３４】
さらに、便座本体16は、後端側側部に転動輪21を取付けており、転動輪21の周面をカム19の上面に当接させている。
【００３５】
駆動源17は、腰掛型便器15の左右側部に支持体22の下端部を前後回動自在に軸支するとともに、支持体22の上端部に水平にした肘掛23の中途部を前後回動自在に取付け、肘掛23の後端部に連動機構18を前後回動自在に取付けている。なお、実施例２に係る昇降便座14では、駆動源17として使用者が肘掛23を昇降させることで人為的に駆動させる機構を採用しているが、実施例１に係る昇降便座１と同様に機械的に駆動させる機構を採用することもできる。
【００３６】
連動機構18は、側面視でＶ字状のアーム24の折曲部（中途部）を腰掛型便器15の側面に上下回動自在に軸支し、アーム24の前端側と支持体22とで平行リンクを形成して、肘掛23が水平状態を保持したまま前後に移動するようにしている。
【００３７】
また、連動機構18は、アーム24の前端部を肘掛23の後端部に軸支し、アーム24の後端部にリンク25の下端部を上下回動自在に軸支するとともに、リンク25の上端部に便座本体16の後端部を軸支している。
【００３８】
カム19は、後側上面を前後に水平状に伸延する水平面とするとともに、前側上面を前高後低状の傾斜面としている。
【００３９】
そして、昇降便座14は、図４に示すように、使用時には便座本体16が腰掛型便器15の上部に水平に載置されており、図５に示すように、離座時には駆動源17となる肘掛23を前側下方に向けて移動させることで、連動機構18のアーム24が前方に向けて回転し、それに伴って、リンク25が便座本体16を前方側に向けて押圧し、転動輪21がカム19の水平面に沿って移動して便座本体16が腰掛型便器15の上面に沿って前方側に向けて移動（前方移動）する。
【００４０】
さらに、肘掛23を前側下方に向けて移動させると、図６に示すように、連動機構18のアーム24が前方に向けて回転し、それに伴って、リンク25が便座本体16を前方側に向けて押圧し、転動輪21がカム19の水平面から傾斜面に沿って移動して便座本体16が腰掛型便器15の上方側に向けて回転上昇（上方移動）する。
【００４１】
この実施例２に係る昇降便座14でも、実施例１に係る昇降便座１と同様に、腰掛型便器15に軸支されたアーム24を便座本体16の後端部にリンク25を介して接続しているために、便座本体16が単純に上方に向けて回転移動するのではなく、便座本体16の後部が腰掛型便器15の上方側へ向けて回転上昇する上方移動に加えて、便座本体16が腰掛型便器15の上面に沿って前方側に向けて移動する前方移動をも行うようになっている。
【００４２】
このように、上記昇降便座14は、便座本体16の後部が腰掛型便器15の上方側へ向けて回転上昇する上方移動に加えて、便座本体16が腰掛型便器15の前方側へ向けて移動する前方移動を行うように構成している。
【００４３】
そのため、上記構成の昇降便座14では、離座時に便座本体16が腰掛型便器15の前方側へ向けて移動（前方移動）することで、使用者の下腿部を後方側に傾斜した状態から直立した状態にすることができ、使用者の身体を損傷させることなく使用者に離座動作を円滑に行わせることができる。
【００４４】
また、上記昇降便座14は、前方移動を行った後に上方移動を行うように構成している。
【００４５】
そのため、上記構成の昇降便座14では、離座時に使用者の下腿部を後方側に傾斜した状態から直立した状態にした後に離座動作を行わせることができるので、より一層使用者の身体を損傷させることなく使用者に離座動作を円滑に行わせることができる。
【００４６】
また、上記昇降便座14は、下側中途部から下側前端部を前高後低の傾斜状に切欠しているために、上方移動を行う際に便座本体16の下側中途部を支点20として上方側に向けて回転上昇（上方移動）するように構成している。
【００４７】
そのため、上記構成の昇降便座14では、離座時（上方移動時）において回転する便座本体16の支点20と力点26との距離を短縮することができ、小さな駆動力で便座本体16を回転させることができるので、昇降便座14の小型軽量化を図ることができる。
【００４８】
なお、上記説明では、昇降便座14の離座時の動作を主に説明したが、昇降便座14の着座時の動作についても、動作方向や動作順序が離座時と逆になるだけで、同様の効果が得られる。
【符号の説明】
【００４９】
１  昇降便座                          ２  腰掛型便器
３  便座本体                          ４  タンク
５  駆動源                            ６  連動機構
７  支点                              ８  床
９  アクチュエータ                    10  進退ロッド
11  アーム                            12  使用者
13  力点                              14  昇降便座
15  腰掛型便器                        16  便座本体
17  駆動源                            18  連動機構
19  カム                              20  支点
21  転動輪                            22  支持体
23  肘掛                              24  アーム
25  リンク                            26  力点
101  昇降便座                         102  腰掛型便器
103  便座本体                         104  回転軸
105  使用者
【図１】
2011160925.tif 000003
【図２】
2011160925.tif 000004
【図３】
2011160925.tif 000005
【図４】
2011160925.tif 000006
【図５】
2011160925.tif 000007
【図６】
2011160925.tif 000008
【図７】
2011160925.tif 000009